(57)【要約】      （修正有）【課題】インナーシェルにその表面側からナットが嵌め込み装着されている椅子用座又は背もたれにおいて、ナットが取付け容易でしかも抜け不能及びビスに連れ回りしない構造を提供する。【解決手段】ナット２１はねじ筒２５と張り出し部２６とを有する。インナーシェル１１には、ナット２１を所定姿勢で嵌め込みできる平面視で細長いナット収納凹所２２と、ナット２１に連続した一対の袋状部３２とが形成されている。ナット収納凹所２２に嵌め込んだナット２１を左回転させると、ナット２１は張り出し部２６の一部が袋状部３２の内部に嵌まり込み、ビス２０をねじ込みできるように抜け不能で回転不能に保持される。ナット収納凹所２２の内周面２９には、ビス２０のねじ戻し時にナット２１を戻り回転不能に保持する突起３４が形成されている。【選択図】図４
2009022604.tif 000002
【特許請求の範囲】
【請求項１】
合成樹脂製のインナーシェルの表面にクッションを張った構造であり、前記インナーシェルにはその表面側からナットが嵌め込み装着されており、前記インナーシェルは、その裏側に配置された支持部材に対して、前記支持部材に裏側から挿通したビスを前記ナットにねじ込むことによって締結されるようになっている、
という椅子の座又は背もたれであって、
前記ナットは、雌ねじ穴を挟んだ両側に突出した板状の張り出し部を有していて雌ねじ穴の軸心方向から見て細長い形態である一方、
前記インナーシェルには、前記ナットを所定の姿勢でのみ嵌め込みできるナット収納凹所が表面側に開口するように形成されており、前記ナット収納凹所はナットの張り出し部が重なる底板を有していてこの底板に前記ビスが貫通する取付け穴が形成されており、更に、前記インナーシェルのうちナット収納凹所に連続した部位には、ナット収納凹所に所定姿勢で嵌め入れたナットをビスのねじ込み方向に適宜角度回転させることを許容する袋状部が、インナーシェルの裏側とナットとに向けて開口するように形成されており、前記袋状部には、ナットをインナーシェルの表面側に移動不能に保持する天板と、前記ナットをビスのねじ込み方向に回転させると張り出し部の端面が当たって回転不能に保持するストッパー面とが形成されている、
椅子の座又は背もたれ。
【請求項２】
前記ナットは、円筒形のねじ筒を備えていてこのねじ筒の一端部に一対の張り出し部が形成されている一方、
前記ナット収納凹所の内周面には、前記ナットの張り出し部が袋状部に入り込んだ状態から戻り回転するに際してその先端部の端面が当接し得る戻り止め用突起が、取付け穴の軸心を挟んだ対象の位置に一対形成されており、
前記取付け穴の軸心から突起までの間隔寸法を前記ナットにおける張り出し部の半径と略同じか僅かに小さい寸法に設定しており、更に、前記取付け穴の内周面とナットにおけるねじ筒との間には、ナットが芯ずれしてその張り出し部の先端部の側端面が前記突起に当たることを許容する隙間が空いており、ナットの張り出し部の側端面が突起に当接した状態でナットの張り出し部は部分的に袋状部に入り込んだ状態に保持されている、
請求項１に記載した椅子の座又は背もたれ。
【発明の詳細な説明】
【技術分野】
【０００１】
本願発明は、椅子の座又は背もたれに関するものであり、より正確には、合成樹脂製のインナーシェルの表面にクッションを張った構造でビスで支持部材に締結されるようになっている椅子用座又は椅子用背もたれに関するものである。
【背景技術】
【０００２】
事務用等の椅子において、座又は背もたれを合成樹脂製のインナーシェルにクッションを張った構造にすることが広く行われている（なお、インナーシェルは、座板や背板、或いは芯板、基板等の名称で呼ぶことも可能である。）。インナーシェルは支持部材に固定する必要があり、この固定手段としては、ビスによる固定や、弾性変形する爪類を利用したスナップ係合などが採用されているが、ビスによる固定は、高い締結強度を得ることができる利点や取り外しが容易である利点がある。
【０００３】
座板を脚装置に固定する方法として特許文献１には、角頭付きボルトとナットとを使用して、座板の表面（上面）にボルトの角頭が回転不能に嵌まる座ぐり穴を形成して、座板と脚装置とに上方から挿通したボルトに下方からナットをねじ込むことが開示されている。特許文献１は、座板の表面が常に露出しているものを対象にしており、従って、ボルトを座板及び脚装置に上方から差し込むことも可能であり、また、ナットのねじ込みやねじ戻し作業に際して人がボルトの頭を座ぐり穴に押さえておくことでボルトを回転不能に保持することもできる。
【０００４】
他方、座や背もたれがクッションを備えている場合は、ボルト（ビス）をインナーシェルに上方から差し込んでおくとは引っ掛かりの問題や、組立に際して位置合わせが行いにくいと言った問題があり、従って、クッションが張られている場合は、インナーシェルには予めナットを取付けておいてビス（ボルト）を下方からねじ込むのが好適であり、また、ナットはインナーシェルに回転不能に保持されている必要がある。
【０００５】
そして、ナットをインナーシェルに回転不能に配置する方法としては、インナーシェルの成形時に予めナットをインサートしておく方法（例えば特許文献２参照）と、インナーシェルを成形してからナットを取り付ける方法とがある。
【特許文献１】実開平５−３４９４７号公報
【特許文献２】特公昭５２−２８０６５号公報
【発明の開示】
【発明が解決しようとする課題】
【０００６】
近年、環境負荷の低減や資源再利用のため、廃棄物は同種素材ごとに分別することが社会的要請になっているが、ナットをインサート成形によってインナーシェルに取り付けると、座又は背もたれの廃棄後の分別が厄介になるという問題がある。従って、リサイクル促進や廃棄処理コスト抑制のためにはナットをインナーシェルに後付けすることが好ましいが、ナットは、ビスのねじ込みを可能ならしめるために回転不能及び抜け不能に保持されている必要がある。また、取付けの容易性も必要である。
【０００７】
更に、椅子の座や背もたれは、例えば張地が汚れたり擦り切れたりすることで交換することがあるが、この交換も確実かつ容易に行える必要がある。特に、座や背もたれの交換をユーザーが行う場合は、ドライバのみで簡単にしかも確実に交換できるように配慮されるべきである。
【０００８】
本願発明は、このような要請に応えるべく成されたものである。
【課題を解決するための手段】
【０００９】
本願発明は椅子の座又は背もたれに係るもので、この座又は背もたれは、合成樹脂製のインナーシェルの表面にクッションを張った構造であり、前記インナーシェルにはその表面側からナットが嵌め込み装着されており、前記インナーシェルは、その裏側に配置された支持部材に対して、前記支持部材に裏側から挿通したビスを前記ナットにねじ込むことによって締結されるようになっており、前記ナットは、雌ねじ穴を挟んだ両側に突出した板状の張り出し部を有していて雌ねじ穴の軸心方向から見て細長い形態になっている。
【００１０】
そして、本願発明において、前記インナーシェルには、前記ナットを所定の姿勢でのみ嵌め込みできるナット収納凹所が表面側に開口するように形成されており、前記ナット収納凹所はナットの張り出し部が重なる底板を有していてこの底板に前記ビスが貫通する取付け穴が形成されており、更に、前記インナーシェルのうちナット収納凹所に連続した部位には、ナット収納凹所に所定姿勢で嵌め入れたナットをビスのねじ込み方向に適宜角度回転させることを許容する袋状部が、インナーシェルの裏側とナットとに向けて開口するように形成されており、前記袋状部には、ナットをインナーシェルの表面側に移動不能に保持する天板と、前記ナットをビスのねじ込み方向に回転させると張り出し部の端面が当たって回転不能に保持するストッパー面とが形成されている。
【００１１】
さて、市販されているナットとして、円筒形のねじ筒を備えていてこのねじ筒の一端部に一対の張り出し部が形成されているものがある。このナットは「Ｔナット」と称されており、本願発明はこのタイプのナットを使用したより好適な構成も含んでおり、これは請求項２に記載している。
【００１２】
すなわち請求項２の発明は、請求項１において、先ず、ナットは上記したＴナットであり、更に、前記ナット収納凹所の内周面には、前記ナットの張り出し部が袋状部に入り込んだ状態から戻り回転するに際してその先端部の端面が当接し得る戻り止め用突起が、取付け穴の軸心を挟んだ対象の位置に一対形成されている。
【００１３】
更に、前記取付け穴の軸心から突起までの間隔寸法を前記ナットにおける張り出し部の半径と略同じか僅かに小さい寸法に設定しており、更に、前記取付け穴の内周面とナットにおけるねじ筒との間には、ナットが芯ずれしてその張り出し部の先端部の側端面が前記突起に当たることを許容する隙間が空いており、ナットの張り出し部の側端面が突起に当接した状態でナットの張り出し部は部分的に袋状部に入り込んだ状態に保持されている。
【発明の効果】
【００１４】
本願発明によると、ナットは、インナーシェルのナット収納凹所に嵌め入れてからビスのねじ込み回転方向にある程度の角度だけ回転させるというワンタッチ的な作業により、ビスをねじ込み可能でかつ抜け不能の状態に取付けられる。従って、ナットの取付け作業は極めて簡単であり、また、廃棄後におけるインナーシェルとナットとの分別作業も頗る簡単である。
【００１５】
さて、インナーシェルを支持部材から取り外すためにビスをドライバ（レンチ）でねじ戻す場合、ナットがビスと連れ回転して張り出し部が袋状部から抜け出ることが想定され、また、ビスをドライバでねじ戻すに際してドライバはビスとの係合状態（嵌合状態）を保持するために押し勝手になっているため、ナットの張り出し部がインナーシェルのナット収納凹所から外れることが想定され、すると、ナットが空回りしてインナーシェルを取り外しにくくなる虞がある。
【００１６】
これに対して請求項２の構成を採用すると、ビスのねじ戻しに際して突起によってナットを逆回転不能に保持できるため、インナーシェルの取り外しを的確に行える利点である。
【００１７】
つまり、ナットのねじ筒とインナーシェルの取付け穴との間に隙間（クリアランス）があると、ビスをねじ戻すに際してナットのねじ筒が取付け穴と同心ということは有り得ず、ねじ筒は取付け穴の内周面のどこかに当たることで安定した状態に保持されるのであるが（つまり、ナットは取付け穴に対して芯ずれするのであるが）、すると、ナットにおける一対の張り出し部のうち何れか一方がナット収納凹所の内周面に近接又は当接して、ビスのねじ戻し方向に逆回転しようとするとその逆回転が収納凹所の突起によって阻止され、しかも、ナットの張り出し部はその一部が袋状部に入り込んだ状態であるためナットはナット収納凹所から抜け不能に保持されるのである。
【００１８】
そして、一対の突起の間隔寸法はナットにおける張り出し部の外径寸法と略同じか僅かに小さい寸法であるため、ナットをナット収納凹所に嵌め込むことは容易に行える（一対の突起の間隔寸法がナットにおける張り出し部の外径寸法よりも多少大きくても、突起を弾性変形させることで容易に嵌め込みできる。）。
【００１９】
従って、請求項２の構成を採用すると、ナットの取付けの容易性を損なうことなくインナーシェルを簡単にしかも確実に取り外すことができるのであり、このため、ユーザーが座や背もたれを取り外しできる椅子に適用すると特に好適であると言える。
【発明を実施するための最良の形態】
【００２０】
次に、本願発明の実施形態を図面に基づいて説明する。本実施形態は、児童・生徒が学習机とセットで使用する椅子に適用しているが、勿論、事務用椅子のような成人用の椅子にも使用できる。
【００２１】
(1).椅子の概要
図１は椅子を前方から見た斜視図、図２は主要部材の分離斜視図であり、両図に示すように、椅子は、脚支柱（ガスシリンダ）２を有する脚装置１と、脚支柱２の上端に固定したベース３とベース３の上方に配置された座４と、座４の後方及び上方に配置された背もたれ５とを備えている。
【００２２】
椅子は、更に、左右のフレーム６をフロント軸７及びリア軸８で連結した中間金具９を備えており、中間金具９のフロント軸７はベース３に形成した前後長手で側面視後傾姿勢のスライド穴に挿通している。また、ベース３には背もたれ５が取り付く傾動フレーム１０が後傾可能に連結されており、傾動フレーム１０と中間金具９のリア軸８とが連結されている。このため、背もたれ５が後傾すると座４も一緒に後傾しつつ後退動する。ベース３の内部にはロッキング用ばね等の部材が配置されているが、本願との関係はないので説明は省略する。
【００２３】
図２に示すように、座４は、インナーシェル１１と、インナーシェル１１の上面に張ったクッション１２と、インナーシェル１１の下方に配置したアウターシェル１４とから成っており、アウターシェル１４は中間金具９に前後位置調節可能に取付けられている。
【００２４】
クッション１２はクロス１５で覆われている。また、クッション１２のうち周囲の部分は弾性変形率（圧縮率）が低い縁部材１２ａから成っている。これは、座４の周縁部を角張った形態と成すための処置であり、デザイン上の要請に基づいている。なお、本実施形態ではクッション１２はシート状のものを裁断してインナーシェル１１に接着しているが、インサート成形によってインナーシェル１１に一体化することも可能である。
【００２５】
インナーシェル１１及びアウターシェル１４は、共にポリプロピレンのような樹脂を合成素材として射出成形法によって製造されており、インナーシェル１１は上向き凹状に反っている。他方、アウターシェル１４も略平坦状の底部１４ａとこれに連続した左右の傾斜状サイド部１４ｂ及び傾斜状のリア部１４ｃとを有して基本的には上向き凹状に浅く凹んだ形態になっており、凹みの程度はインナーシェル１１よりも大きくなっている。そして、インナーシェル１１の左右側部をアウターシェル１４の左右サイド部１４ｂの上部に締結することにより、インナーシェル１１が着座した人の体圧で伸びて下向きに沈み込み変形することを許容している。
【００２６】
インナーシェル１１にはその下向き延び変形（沈み込み変形）を助長するためのスリット１６の群が形成されている。また、アウターシェル１４の前半部には、底面から上向きに突出した下向き枠状部１７が形成されており、インナーシェル１１と下向き枠状部１７との間には僅かの隙間しか空いていない。なお、背もたれ５も座４と同様にインナーシェル１８にクッション１９を張った構造になっているが、以下の説明では、インナーシェルの文言は専ら座４のものに限定して使用している。
【００２７】
(2).インナーシェルの締結構造
インナーシェル１１は左右側部が３箇所ずつビス２０及びナット２１によってアウターシェル１４に締結されており、このため、インナーシェル１１の左右側部には３箇所ずつのナット収納凹所２２が形成されており、他方、アウターシェル１４の左右サイド部１４ｂにはナット収納凹所２２に対応した３箇所ずつの台座部２３が形成されている。
【００２８】
以下、インナーシェル１１とアウターシェル１４との締結構造を主として図３以下に基づいて説明する。図３はインナーシェル１１とアウターシェル１４とをずらして配置した状態での平面図、図４のうち（Ａ）は要部の平面図、（Ｂ）はナット２１とインナーシェル１１との分離斜視図、（Ｃ）は（Ａ）のＣ−Ｃ視分離断面図、（Ｄ）は（Ａ）のＤ−Ｄ視断面図、図５はナット２１の装着手順を示す平面図、図６は図５（Ｂ）のVI−VI視断面図、図７はナット２１の逆回転防止機能を示す平面図である。
【００２９】
図４（Ｂ）に明示するように、ナット２１は、内周に雌ねじが形成されている円筒形のねじ筒２５と、ねじ筒２５の一端部に一体に設けられた一対の板状張り出し部２６とから成っている。張り出し部２６は直線状に延びており、ねじ筒２５の外径寸法よりやや大きい幅寸法でかつ外周はねじ筒２５の軸心を曲率半径の中心とする円弧状に形成されている。このため一対の張り出し部２６は全体として小判形に近い形状になっている。なお、ナット２１は市販品である。
【００３０】
インナーシェル１１の左右側部は正断面視で中間部に向けて高さが徐々に低くなるように僅かの角度で傾斜しており、スリット１６の群の外側に部位に、下面を水平面と成した下向き突条部２７が段落ち状に形成されており、この下向き突状部２７の箇所にナット収納凹所２２が形成されている（下向き突状部２７はナット収納凹所２２の箇所だけに形成することも可能である。）。
【００３１】
ナット収納凹所２２は、ナット２１の張り出し部２６がすっぽり嵌まる細長い形状であり、ナット２１の張り出し部２６が重なる底板２８と平面視で円弧形の内周面２９とを有しており、底板２８に、ナット２１のねじ筒２５が嵌まる取付け穴３０が貫通している。本実施形態は、ナット収納凹所２２は、左右のナット収納凹所２２が平面視でハの字の姿勢となるように（正確には、左右一対のナット収納凹所２２の間隔が後ろに行くに従って狭まるように）、インナーシェル１１の前後長手線３１に対して傾斜させており、傾斜角度θは約４５度に設定している。
【００３２】
インナーシェル１１の左右側部は正断面視で緩く傾斜しているので、ナット収納凹所２２の深さもインナーシェル１１の中心線に向けて徐々に浅くなっているが、最も浅い部分においてもナット２１における張り出し部２６の板厚寸法よりは大きい深さ寸法になっている。そして、インナーシェル１１のうち各ナット収納凹所２２に連続した部位には、ナット２１をその張り出し部２６が前後長手姿勢まで回転することを許容する袋状部３２が取付け穴３０を挟んだ対称の位置に一対ずつ形成されている。
【００３３】
袋状部３２は、平面視でナット２１の張り出し部２６と部分的に重なる天板３２ａと、ナット２１の張り出し部２６が平面視で左回転することを阻止するストッパー面３２ｂとを備えており、これにより、ナット２１は左回転不能及び上向き抜け不能に保持されており、その結果、ビス２０を下方からねじ込むことが可能ならしめられている。袋状部３２はナット収納凹所２２に連通していると共に下方にも開口している。下方に開口しているのは、密着・離反する一対の金型を使用して射出成形法によって製造するに際して、容易に型抜きできる状態で袋状部３２を成形するためである。
【００３４】
取付け穴３０は閉じてはおらずに取付け穴３０と一対の袋状部３２とは互いに連通している。これは金型の加工の容易性のためであるが、取付け穴３０の周囲に底板２８が存在する形態と成すことは可能である。また、例えばナット収納凹所２２には、図５（Ａ）において符号３３で示すように、ナット２１の張り出し部２６が右回転する方向に向いて入り込んだ入隅部３３が形成されているが、図５（Ａ）に一点鎖線で示すように、ナット収納凹所２２の側面２２ａを全長にわたって直線状に形成することも可能である。
【００３５】
ナット収納凹所２２における２つの内周面２９の曲率半径Ｒ１はナット２１における張り出し部２６の外周面の曲率半径Ｒ２よりも例えば１〜２ｍｍ程度大きい寸法になっており、この内周面に、半径内側に突出した平面視山形（矩形でも良い）の突起３４を設けている（突起３４は底板２８にも連続している）。取付け穴３０の中心から突起３４の先端までの間隔寸法（言い換えると突起の先端が当たる仮想円の半径）Ｒ３は張り出し部２６の半径Ｒ２よりやや小さい寸法（０．数ｍｍ程度小さい）に設定している。
【００３６】
従って、ナット２１は突起３４を弾性変形させることで袋状部３２に押し込み回動させられ、また、ビス２０を戻し回転させるに際してナット２１は簡単には連れ回転しない。そして、本実施形態のようにナット収納凹所２２に入り隅部３３を形成しておくと、ナット２１をセットするに際して、この入り隅部３３にマイナスドライバのような工具を差し入れることにより、テコ作用を利用して張り出し部２６を袋状部３２に押し込み回転させることができる利点がある。
【００３７】
更に、図７（Ａ）に示すように、ナット２１のねじ筒２５を取付け穴３０と同心に配置した状態でねじ筒２５と取付け穴３０との間にある寸法Ｅの隙間２５が空いているが、隙間２５の寸法（正確には、取付け穴３０の半径寸法とねじ筒２５の半径寸法との差）Ｅは例えば０．５〜１ｍｍ程度に設定している。
【００３８】
アウターシェル１４の台座部２３は水平状でかつ平坦板になっており、台座部２３の下面箇所にはビス２０の頭２０ａが入り込む凹所２３ａが形成されている。言うまでもないが、台座部２３にビス挿通穴３６が貫通している。図６に示すように、インナーシェル１１の左右側端には下向きリブ３７が全長にわたって延びるように形成されており、クロス１５は下向きリブ３７を巻き込んで更に内側に延びている（クロス１５は、下向きリブ３７の内側においてタッカーでインナーシェル１１に固定されている。）。
【００３９】
また、インナーシェル１１の下向きリブ３７がアウターシェル１４の左右側端面に当たり得るようになっており、このため、着座した人の体圧によってインナーシェル１１が内側に引っ張られる傾向を呈してもビス２０に過大な負担がかかることはない。すなわち、インナーシェル１１の左右端部の内向きずれ防止は主として下向きリブ３７によって担保されている。図示の形態ではアウターシェル１４の左右両端とインナーシェル１１の下面との間に隙間が空いているが、アウターシェル１４の左右両端に上向きリブを形成して隙間を詰めること可能である。
【００４０】
(3).まとめ
既述のとおり、ナット２１はナット収納凹所２２に嵌め入れてから平面視で左回転させることにより、袋状部３２で抜け不能及び左回転不能に保持されている。そして、ビス２０は右ねじであるため、ナット２１にビス２０のねじ込みに際して回転不能に保持されており、このためビス２０を支障なくねじ込んでインナーシェル１１をしっかりと締結することができる。
【００４１】
ところで、インナーシェル１１の左右側部は着座による荷重によって正面視で傾きが大きくなるような傾向を対する。従って、ナット２１が左右方向に長く伸びているとインナーシェル１１がナット２１の張り出し部２６によって突き上げられるような現象を生じる虞がある。これに対して本実施形態のようにナット２１をセット状態で前後方向に延びる姿勢にすると、インナーシェル１１が荷重によって傾く傾向を呈してもナット２１の張り出し部２６によってインナーシェル１１を下方から突き上げる現象は生ぜず、このためインナーシェル１１への負担を軽減して耐久性を向上できる。この点も本実施形態の利点である。
【００４２】
インナーシェル１１の交換等に際してビス２０をドライバでねじ戻す場合、図７（Ｂ）に示すように、ナット２１のねじ筒２５は安定のために必ず芯ずれして取付け穴３０の内周面のどこかに当たるものであり、すると、いずれか一方の張り出し部２６の端面の先端部がいずれか一方の突起３４に当接し、その結果、ナット２１はビス２０のねじ戻しに連れ回転しない。そして、この状態でナット２１における一対の張り出し部２６はその端部が共に袋状部３２の内部に部分的に入ったままであるため、仮にドライバでナット２１が上向きに押されてもナット２１がナット収納凹所２２から抜け出ることはない。
【００４３】
既述のようにＲ３がＲ２より小さいため、本実施形態ではナット２１の張り出し部２６は突起３４によって戻り回転が効果的に抑止される（ナット２１が芯ずれすると張り出し部２６の外周面がナット収納凹所２２の内周面２９に当接するように設定しておくのが好ましい。）。
【００４４】
なお、Ｒ３はＲ２と同じかやや大きい寸法に設定することもよい。また、本実施形態では突起３４は平面視で山形に形成しているが、平面視で右回転方向に連続した状態（すなわちナット収納凹所２２の内周面２９が段違いになっている状態）に形成することも可能である。また、内周面２９と張り出し部２６の半径差を取付け穴３０とねじ筒２５との半径差と同じにしたり、内周面２９と張り出し部２６の半径差を取付け穴３０とねじ筒２５との半径差より小さくしたりすることも可能である。
【００４５】
更に、本実施形態ではナット２１はナット収納凹所２２に嵌め入れてから約４５度回転させることで袋状部３２の内部に嵌まり込むが、ナット２１を抜けない状態に回転させる角度θは任意に設定できる。
【００４６】
(4).その他
上記の実施形態は本願発明の具体例の一つに過ぎず、本願発明は更に様々の形態に展開できる。例えばナット２１はねじ筒２５を備えていない板ナットを使用することも可能である。また、ビスは六角穴タイプや六角頭タイプなど様々のものを使用できる。更に、本願発明は背もたれにも適用できることは言うまでなく更に、椅子には、ロッキングしないタイプや固定式タイプ、ソファ、ベンチなどの様々のものが含まれている。
【図面の簡単な説明】
【００４７】
【図１】本実施形態に係る椅子の斜視図である。
【図２】主要部材の分離斜視図である。
【図３】インナーシェルとアウターシェルとをずらした状態での平面図である。
【図４】（Ａ）は要部の平面図、（Ｂ）はナット２１とインナーシェル１１との分離斜視図、（Ｃ）は（Ａ）のＣ−Ｃ視断面図分離断面図、（Ｄ）は（Ａ）のＤ−Ｄ視断面図である。
【図５】ナットの装着手順を示す平面図である。
【図６】図５（Ａ）のVI−VI視断面図である。
【図７】ナットの逆回転防止機能を示す平面図である。
【符号の説明】
【００４８】
４  座
５  背もたれ
１１  座のインナーシェル
１２  座きクッション
１３  座に対する支持部材の一例としての座用アウターシェル
１５  クロス（表皮材）
２１  ナット
２２  ナット収納凹所
２３  台座部
２５  ナットのねじ筒
２６  ナットの張り出し部
２８  ナット収納凹所の底板
２９  ナット収納凹所の内周面
３０  ナット収納凹所の取付け穴
３２  袋状部
３２ａ  天板
３２ｂ  ストッパー面
３４  突起
３５  取付け穴とねじ筒との間の隙間
【図１】
2009022604.tif 000003
【図２】
2009022604.tif 000004
【図３】
2009022604.tif 000005
【図４】
2009022604.tif 000006
【図５】
2009022604.tif 000007
【図６】
2009022604.tif 000008
【図７】
2009022604.tif 000009